(57)【特許請求の範囲】
【請求項１】
左右一対の松葉杖の各々において、松葉杖上部と松葉杖下部と前記松葉杖上部および前記松葉杖下部を連結する連結部を有する着席時用足置き兼松葉杖であって、前記連結部に足置き部のゴム部材を格納する機構（ゴム部材格納部という）を有し、前記松葉杖下部に足置き展開時の支え（補助脚という）を設けており、前記松葉杖上部および前記松葉杖下部を前記連結部で折り曲げて、前記補助脚を前記松葉杖下部から展開し地面に置き、前記ゴム部材格納部から取り出したゴムをつないで前記一対の松葉杖を固定することにより、歩行時に使用していた松葉杖を着席時に使用可能な足置きに変形することを可能にした着席時用足置き兼松葉杖。
【請求項２】
前記連結部において、折り曲げることで松葉杖を折りたたむことを可能にする請求頁１記載の着席時用足置き兼松葉杖。
【請求項３】
着席時に使用可能な足置きに変形した際に展開する前記補助脚において、歩行時に松葉杖として使用する間は磁石で松葉杖下部に固定され、歩行時の妨げにならないようした前記請求頁１または２記載の着席時用足置き兼松葉杖。
【請求項４】
前記松葉杖上部および前記松葉杖下部を連結する連結部を覆って固定し、前記松葉杖を直立状態に維持する留め輪を有することを特徴とする請求項１〜３のいずれかの項に記載の着席時用足置き兼松葉杖。
【発明の詳細な説明】
【技術分野】
【０００１】本発明は、足置きに変形することが可能な松葉杖に関する．
【背景技術】
【０００２】  骨折やアキレス腱の断裂などの怪我をした時，術後にしばしば「足を下に下げておかないように」と医師から指導をされる．そのような怪我をした人は大抵松葉杖を使用しており，椅子に腰かけようとした時に一人で足を乗せる椅子や台などの足置きを用意する事は容易ではない．【０００３】  これまでに出願されている特許などを見ると，松葉杖に腰かけ用の椅子がついているもの（特許文献１），松葉杖使用時に足を置いておくもの（特許文献２）、松葉杖に布を取り付け使用しながら腰を掛けることができるもの（特許文献３）などのアイディアがあるが，いずれも椅子に座った状態の足置きが欲しいという要望を叶えることが出来ない．
【先行技術文献】
【特許文献】
【０００４】
【特許文献１】実開平０５−０６３５３７
【特許文献２】特開２０１１−２１２４４５
【特許文献３】特開２００３−１１１８０７
【発明の概要】
【発明が解決しようとする課題】
【０００５】  背景技術に記した通り，怪我した人が椅子に腰かけようとした際，簡単に足置きを用意，設置することが出来ない．【０００６】  そこで本発明は，松葉杖を使用している怪我人に対して松葉杖の用途の多様化を図り，足置きとしても使用することが出来る松葉杖を実現しようとするものである．
【課題を解決するための手段】
【０００７】  本発明は、請求項１に示すように、左右一対の松葉杖において、松葉杖上部と下部、下部兼支え、そしてそれらを連結する連結部によって松葉杖本体を形成する。上部と下部を連結部で約９０度折り曲げ、支えを展開して地面に置く。松葉杖の連結部付近のゴム格納部からゴムを渡しとめることで足置きを形成できるものである。具体的には以下の特徴を有する。【０００８】（１）本発明は、左右一対の松葉杖の各々において、松葉杖上部と松葉杖下部と前記松葉杖上部および前記松葉杖下部を連結する連結部を有する着席時用足置き兼松葉杖であって、前記連結部に足置き部のゴム部材を格納する機構（ゴム部材格納部という）を有し、前記松葉杖下部に足置き展開時の補助脚を設けており、前記松葉杖上部および前記松葉杖下部を前記連結部で折り曲げて、前記補助脚を前記松葉杖下部から展開し地面に置き、前記ゴム部材格納部から取り出したゴムをつないで前記一対の松葉杖を固定することにより、歩行時に使用していた松葉杖を着席時に使用可能な足置きに変形することを可能にした着席時用足置き兼松葉杖である。【０００９】（２）本発明は、（１）に加えて、前記連結部において、折り曲げることで松葉杖を折りたたむことを可能にし、着席時に使用可能な足置きに変形した際に展開する前記補助脚において、歩行時に松葉杖として使用する間は磁石で松葉杖下部に固定され、歩行時の妨げにならないようしており、前記松葉杖上部および前記松葉杖下部を連結する連結部を覆って固定し、前記松葉杖を直立状態に維持する留め輪を有することを特徴とする。
【発明の効果】
【００１０】  本研究の足置き変形式松葉杖は、松葉杖を簡単に足置きに変形することができるため、医療的な理由で足を上げておく必要のあり、かつ松葉杖を使用している怪我人が、新たに何かを持つ必要がなく、普段使っている松葉杖を２つの役割で使用することができる．椅子に座った状態で簡単に組み立てることができるため怪我をしている人にとって易しい発明になっている。【００１１】  さらに、松葉杖は使わない時は邪魔になっており、例えば壁に立てかけると倒れたり、床に置くと広く場所をとるが、その松葉杖を足置きに変形するため一石二鳥な発明である。【００１２】  関節部を輪とピンで固定することにより、通常の松葉杖としての耐久性も問題がない．また、足置きとしても松葉杖下部に支えを設置したので倒れる心配もない．
【図面の簡単な説明】
【００１３】
【図１】  図１は、本発明の足置き変形式松葉杖の正面図である。
【図２】  図２は、本発明の足置き変形式松葉杖の側面図である。
【図３】  図３は、本発明の足置き変形松葉杖の足置き形態の側面図である．
【図４】  図４は、本発明の足置き変形式松葉杖の足置き使用状態を示す斜視図である。
【発明を実施するための形態】
【００１４】  図１は、本発明の足置き変形松葉杖（着席時用足置き兼松葉杖ともいう）を示す正面図である。また、図２は、本発明の足置き変形式松葉杖の側面図である。本発明の足置き変形松葉杖は、松葉杖上部１と松葉杖下部２、松葉杖下部兼支え３および松葉杖上部１と松葉杖下部２を連結する連結部１０からなる。連結部１１は松葉杖の中間部にあり、その連結部１０に足置きゴム格納ケース７が配置されている。
本体を松葉杖として使用するときには、松葉杖上部１と松葉杖下部２が動かないようにするために、留め輪５にて松葉杖上部１と松葉杖下部２の連結部１０を留め、留め輪５と松葉杖上部１に空いている穴に留めピン６を挿入することで固定してから使用する。留め輪５が松葉杖上部１と松葉杖下部２の連結部１０を覆い、留めピン６で松葉杖下部２と留め輪をつなぎ直立状態を維持する。
【００１５】  松葉杖下部２または松葉杖下部兼支え３のどちらかに磁石が取り付けられており、また他方に磁石または鉄板等の磁性体材料が取り付けられている。そして、松葉杖下部２と松葉杖下部兼支え３をこれら磁石等によってつなぎ、松葉杖下部兼支え３と松葉杖下部２が連結状態を維持する。尚、留め輪は連結部１１に配置されており、松葉杖を折り曲げ時は連結部から松葉杖上部１と松葉杖下部２の方に動かすか、取り外しできるようになっている。
【００１６】  図３は、本発明の足置き変形松葉杖の足置き形態の側面図であり、図４は、本発明の足置き変形式松葉杖の足置き使用状態を示す斜視図である。本体を足置きとして使用する場合のために、松葉杖上部１と松葉杖下部２の連結部１１で折り曲げ（たとえば、約９０度）、松葉杖下部２と松葉杖上部１の連結部近くの穴と留め輪５を留めピン６でつなぐ。松葉杖下部兼支え３を松葉杖支えの回転部４により回転させ、松葉杖下部兼支え３の上部にあるフックのような引っ掛かり（図示せず）を松葉杖下部２にかけ、固定する。二つの足置き変形松葉杖をゴム格納ケース７ａ、７ｂからゴム８ａ、８ｂを引き抜き、バックル９ａ、９ｂで連結することで足置きとして使用する。
【００１７】  ゴムは両方の松葉杖の連結部１０に配置された足置きゴム格納ケース７から引き出して、図４に示すように中央部でつないで使用することができる。両方のゴムの先端部をバックル等の留め具９ａ、９ｂを取り付けて、それらの留め具を連結することで固定される。ゴムは足をかけてもたわみが小さいテンションを有し、かつ破壊しない程度の強度が必要である。また、ゴムの代わりに、布、皮革、プラスチック、金属等でも良く、形状は、線状、ひも状、帯状のものを使用できる。
【００１８】  松葉杖下部兼支え３は、松葉杖上部１と松葉杖下部２の連結部を折り曲げて地面に置いたときに、松葉杖上部１と松葉杖下部２が倒れないように支えるための足であり、すなわち、三脚状態にする部分である。松葉杖下部兼支え３は、図１および図２に示すように、松葉杖下部２において、松葉杖上部１と松葉杖下部２の連結部１０の下側に回転部４を介して取り付けられている。松葉杖下部２と松葉杖下部兼支え３は回転部４において回転軸で連結している。通常の松葉杖として使用するときは、松葉杖下部兼支え３は、図１および図２に示すように、松葉杖下部２に密着してほぼ一体となっており、松葉杖上部１と松葉杖下部２の連結部を折り曲げて地面に置くときは、松葉杖下部兼支え３を松葉杖支えの回転部４により回転させ、松葉杖下部兼支え３の上部が松葉杖下部２にかかるように固定する。松葉杖下部２と松葉杖下部兼支え３を密着させる方法として、松葉杖下部２と松葉杖下部兼支え３のどちらか一方に磁石を配置し、他方に逆極の磁石または磁性体を配置しておけば、強固に固定できる。あるいは、松葉杖下部２と松葉杖下部兼支え３のどちらか一方または両方に固定具（たとえば、面ファスナー、雄雌固定具）を取り付けて固定することもできる。
【００１９】  足置き変形松葉杖を構成する骨組みである松葉杖上部１と松葉杖下部２、松葉杖下部兼支え３およびその連結部を留める留め輪５、留めピン６などは、使用者に高齢者や歩行に支障のある人が多いと思われることから、一定の強度に加えて取り扱いやすい軽量の素材が望ましい。
【産業上の利用可能性】
【００２０】  松葉杖を使用し、かつ安静時に足を下げてはいけない怪我人が安易に使用することができるので医療現場で利用可能である。
【符号の説明】
【００２１】１・・・松葉杖上部
２・・・松葉杖下部
３・・・松葉杖下部兼支え
４・・・松葉杖支えの回転部
５・・・留め輪
６・・・留めピン
７ａ・・・ゴム格納ケース
７ｂ・・・ゴム格納ケース
８ａ・・・ゴム
８ｂ・・・ゴム
９ａ・・・バックル
９ｂ・・・バックル
１０・・・連結部
【要約】      （修正有）【課題】足を怪我している人は松葉杖を使用する。そのような人は医師から「足を下げておかないように」と指導されるが、怪我をしている人は自分で足を置くための椅子などを用意することは難しい。松葉杖を使用している怪我人に対して松葉杖の用途の多様化を図り，足置きとしても使用することが出来る松葉杖を提供する。【解決手段】本発明の着席時用足置き兼松葉杖は、上部と下部の連結部を留め輪５や留めピン６で固定することによって、歩くときはそのまま松葉杖として使用でき、椅子に座り足を上げる必要があるときには、松葉杖を二つ折りにし、それぞれの松葉杖の中心部に取り付けたゴム収納部７ａ、７ｂからゴム８ａ、８ｂを引き出して連結させることにより、足置きとしても利用することができる。【選択図】図４【図１】
0006751217.tif 000002
【図２】
0006751217.tif 000003
【図３】
0006751217.tif 000004
【図４】
0006751217.tif 000005